【手続補正書】
【提出日】平成28年7月5日(2016.7.5)
【手続補正１】
【補正対象書類名】特許請求の範囲
【補正対象項目名】全文
【補正方法】変更
【補正の内容】
【特許請求の範囲】
【請求項１】
フッ化ビニリデン、トリフルオロエチレンおよびクロロトリフルオロエチレン構造単位を含むポリマーであって、ポリマーにおけるトリフルオロエチレンに対するフッ化ビニリデンのモル比が５５：４５から６５：３５であり、ならびにポリマーにおけるクロロトリフルオロエチレン構造単位のモル比率が１．５から４．５％である、ポリマー。
【請求項２】
ポリマーが、フッ化ビニリデン、トリフルオロエチレンおよびクロロトリフルオロエチレン構造単位からなる、請求項１に記載のポリマー。
【請求項３】
少なくとも１００，０００の重量平均分子量を有する、請求項１または２に記載のポリマー。
【請求項４】
ポリマーにおけるクロロトリフルオロエチレン構造単位のモル比率が、３．２％から４．５％である、請求項１から３のいずれか一項に記載のポリマー。
【請求項５】
ポリマーにおけるクロロトリフルオロエチレン構造単位のモル比率が、３．４％から４．５％である、請求項１から３のいずれか一項に記載のポリマー。
【請求項６】
フッ化ビニリデン、トリフルオロエチレンおよびクロロトリフルオロエチレン構造単位を含むポリマーであって、少なくとも０．６ＧＰａの弾性率を有するフィルムに成形されるのに適する、ポリマー。
【請求項７】
トリフルオロエチレンに対するフッ化ビニリデンのモル比が、５５：４５から７５：２５であり、および／またはポリマーにおけるクロロトリフルオロエチレン構造単位のモル比率が、１．５から５．５％であり、ならびに／またはポリマーがフッ化ビニリデン、トリフルオロエチレンおよびクロロトリフルオロエチレン構造単位からなる、請求項６に記載のポリマー。
【請求項８】
フィルムが、
・１ｋＨｚ、２５℃で４０未満の比誘電率を有し、および／または
・５０ＭＶ／ｍの電場勾配下で、少なくとも０．２５％の、または１００ＭＶ／ｍの電場勾配下で、少なくとも０．７％の、２５℃での電歪を有し、および／または
・３０μｍ未満の厚さを有する、
請求項６または７に記載のポリマー。
【請求項９】
フィルムが、溶媒キャスティングによって、押出しによってまたはホットメルトプレスによって製造され、その後アニールされる、請求項６から８のいずれか一項に記載のポリマー。
【請求項１０】
フィルム、繊維、押出しプレートおよび成形品から選択される、請求項１から９のいずれか一項に記載のポリマーを含む、物品。
【請求項１１】
請求項１から９のいずれか一項に記載のポリマーを含む、フィルム。
【請求項１２】
請求項１から９のいずれか一項に記載のポリマーからなる、フィルム。
【請求項１３】
少なくとも０．６ＧＰａの弾性率を有する、請求項１１または１２に記載のフィルム。
【請求項１４】
フッ化ビニリデン、トリフルオロエチレンおよびクロロトリフルオロエチレン構造単位を含むポリマーを含むフィルムであって、少なくとも０．６ＧＰａの弾性率を有する、フィルム。
【請求項１５】
ポリマーにおけるトリフルオロエチレンに対するフッ化ビニリデンのモル比が、５５：４５から７５：２５である、請求項１４に記載のフィルム。
【請求項１６】
ポリマーにおけるトリフルオロエチレンに対するフッ化ビニリデンのモル比が、５５：４５から６５：３５である、請求項１４に記載のフィルム。
【請求項１７】
ポリマーにおけるトリフルオロエチレンに対するフッ化ビニリデンのモル比が、６２：３８から７２：２８である、請求項１４に記載のフィルム。
【請求項１８】
ポリマーにおけるクロロトリフルオロエチレン構造単位のモル比率が、１．５から５．５％である、請求項１４から１７のいずれか一項に記載のフィルム。
【請求項１９】
ポリマーにおけるクロロトリフルオロエチレン構造単位のモル比率が、１．５から４．５％である、請求項１４から１７のいずれか一項に記載のフィルム。
【請求項２０】
ポリマーにおけるクロロトリフルオロエチレン構造単位のモル比率が、１．８から５．５％である、請求項１４から１７のいずれか一項に記載のフィルム。
【請求項２１】
ポリマーにおけるクロロトリフルオロエチレン構造単位のモル比率が、１．８から４．５％である、請求項１４から１７のいずれか一項に記載のフィルム。
【請求項２２】
ポリマーにおけるクロロトリフルオロエチレン構造単位のモル比率が、３．２％から４．５％である、請求項１４から１７のいずれか一項に記載のフィルム。
【請求項２３】
ポリマーにおけるクロロトリフルオロエチレン構造単位のモル比率が、３．４％から４．５％である、請求項１４から１７のいずれか一項に記載のフィルム。
【請求項２４】
該ポリマーがフッ化ビニリデン、トリフルオロエチレンおよびクロロトリフルオロエチレン構造単位からなる、請求項１４から２３のいずれか一項に記載のフィルム。
【請求項２５】
１ｋＨｚ、２５℃で４０未満の比誘電率を有し；および／または５０ＭＶ／ｍの電場勾配下で、少なくとも０．２５％の、または１００ＭＶ／ｍの電場勾配下で、少なくとも０．７％の、２５℃での電歪を有する、請求項１１から２４のいずれか一項に記載のフィルム。
【請求項２６】
５０ＭＶ／ｍの電場勾配下で、少なくとも０．４％の、２５℃での電歪を有する、請求項２５に記載のフィルム。
【請求項２７】
１００ＭＶ／ｍの電場勾配下で、少なくとも１％の、２５℃での電歪を有する、請求項２５または２６に記載のフィルム。
【請求項２８】
３０μｍ未満の厚さを有する、請求項１１から２７のいずれか一項に記載のフィルム。
【請求項２９】
１から５μｍの厚さを有する、請求項１１から２７のいずれか一項に記載のフィルム。
【請求項３０】
１から３μｍの厚さを有する、請求項１１から２７のいずれか一項に記載のフィルム。
【請求項３１】
フッ化ビニリデンモノマー、トリフルオロエチレンモノマーおよびクロロトリフルオロエチレンモノマーを重合することを含む、請求項１から９のいずれか一項に記載のポリマーを作製する、方法。
【請求項３２】
懸濁重合によって行われる、請求項３１に記載の方法。
【請求項３３】
以下の連続した段階：
（１）モノマーの第一混合物を反応器に充填する段階、
（２）ラジカル重合開始剤を反応器に添加する段階、
（３）モノマーの第二混合物を反応器に連続添加し、実質的に一定圧で重合を行う段階
を含む、請求項３１または３２に記載の方法。
【請求項３４】
第一混合物が、クロロトリフルオロエチレンモノマーを含まず、フッ化ビニリデンモノマーとトリフルオロエチレンモノマーを含み、ならびに第二混合物がフッ化ビニリデンモノマー、トリフルオロエチレンモノマーおよびクロロトリフルオロエチレンモノマーを含む、請求項３３に記載の方法。
【請求項３５】
段階（２）と（３）の反応器内の圧力が、少なくとも８０バールであり、ならびに段階（２）と（３）の反応器内の温度が４０から６０℃である、請求項３１から３４のいずれか一項に記載の方法。
【請求項３６】
フィルムを作製する段階、および該フィルムをアニールする段階を含む、請求項１１から３０のいずれか一項に記載のフィルムを製造する、方法。
【請求項３７】
フィルムを作製する段階、該フィルムを延伸する段階、および該フィルムをアニールする段階を含む、請求項１１から３０のいずれか一項に記載のフィルムを製造する、方法。
【請求項３８】
フィルムを作製する段階が、溶媒キャスティングによって、押出しによってまたはホットメルトプレスによって行われる、請求項３６または３７に記載の方法。
【請求項３９】
フィルムを作製する段階が、溶媒キャスティングによって行われる、請求項３６または３７に記載の方法。
【請求項４０】
フィルムを作製する段階が、請求項３２または３３に記載の組成物の溶媒キャスティングによって行われる、請求項３６または３７に記載の方法。